【手続補正書】
【提出日】平成29年4月20日(2017.4.20)
【手続補正１】
【補正対象書類名】明細書
【補正対象項目名】発明の名称
【補正方法】変更
【補正の内容】
【発明の名称】処理装置及びこれを備えた画像形成システム
【手続補正２】
【補正対象書類名】明細書
【補正対象項目名】０００１
【補正方法】変更
【補正の内容】
【０００１】
本発明は、画像形成装置から送られシートを集積して後処理する処理装置に係わり、後処理の動作中に上流側の画像形成プロセスを停滞させることのない処理機構の改良に関する。
【手続補正３】
【補正対象書類名】明細書
【補正対象項目名】０００９
【補正方法】変更
【補正の内容】
【０００９】
そこでシートを移送する経路の第１、第２の異なるエリアにバッファエリアを配置することは、エリアスペースと、配置するシート搬送機構と、シートジャムなどの処理機構（例えば経路開閉ガイド）を配置すると、装置の大型化の問題を抱えるものであった。
【手続補正４】
【補正対象書類名】明細書
【補正対象項目名】００１０
【補正方法】変更
【補正の内容】
【００１０】
本発明は、第１、第２の異なる集積位置にシートを移送する際に、シートを一時的に滞留させるバッファ機構を、小型で省スペースに配置することが可能な処理装置の提供をその課題としている。
【手続補正５】
【補正対象書類名】明細書
【補正対象項目名】００１１
【補正方法】変更
【補正の内容】
【００１１】
上記課題を解決するため、本発明に係る処理装置は、搬入口からシートを所定方向に搬送する搬送経路と、前記搬送経路により搬送されたシートを集積して処理を行なう第１集積部と、前記搬送経路の分岐部から分岐して、シートを前記所定方向の逆方向に搬送する分岐経路と、前記分岐経路により搬送されたシートを集積して処理を行なう第２集積部と、前記分岐部より前記所定方向の下流側で前記搬送経路に配置された第１搬送ローラと、前記分岐部より前記逆方向の下流側で前記分岐経路に配置された第２搬送ローラと、前記第１、第２搬送ローラを制御する制御手段と、を備え、前記搬送経路と分岐経路には、前記第１搬送ローラと前記第２搬送ローラの間にシートを滞留させるバッファ経路部が設けられ、前記制御手段は、前記搬入口に順次送られる複数のシートを前記バッファ経路部に一時的に滞留させ、この滞留させた複数のシートを前記第１、第２搬送ローラの一方向回転で前記第１の集積部に移送して、前記第２搬送ローラの反対方向回転で前記第２の集積部に、選択的に移送することを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００９５
【補正方法】変更
【補正の内容】
【００９５】
「第２後処理モード」
図９及び図１０に従って第２後処理モードにおけるバッファシートの搬送状態を説明する。同図（ａ）はバッファ部Ｐｂに複数のシートが搬送され、一時的に滞留された状態を示す。バッファ部Ｐｂに搬入口３１から送られたシートは１枚目（ｎ）の上に２枚目（ｎ＋１）、その上に３枚目（ｎ＋２）の順に重ねられて第１排紙ローラ４６と第２排紙ローラ４７で保持されている。そして複数のシートは送り順（搬入口に送られてきた順序）にオフセット量δで鱗状に重ねられている。なおこのオフセット量δは、第１後処理モードのオフセット量と同一若しくは異なった間隔に設定する。
【手続補正１１】
【補正対象書類名】特許請求の範囲
【補正対象項目名】全文
【補正方法】変更
【補正の内容】
【特許請求の範囲】
【請求項１】
搬入口からシートを所定方向に搬送する搬送経路と、
前記搬送経路により搬送されたシートを集積して処理を行なう第１集積部と、
前記搬送経路の分岐部から分岐して、シートを前記所定方向の逆方向に搬送する分岐経路と、
前記分岐経路により搬送されたシートを集積して処理を行なう第２集積部と、
前記分岐部より前記所定方向の下流側で前記搬送経路に配置された第１搬送ローラと、
前記分岐部より前記逆方向の下流側で前記分岐経路に配置された第２搬送ローラと、
前記第１、第２搬送ローラを制御する制御手段と、
を備え、
前記搬送経路と分岐経路には、前記第１搬送ローラと前記第２搬送ローラの間にシートを滞留させるバッファ経路部が設けられ、
前記制御手段は、
前記搬入口に順次送られる複数のシートを前記バッファ経路部に一時的に滞留させ、
この滞留させた複数のシートを前記第１、第２搬送ローラの一方向回転で前記第１の集積部に移送して、前記第２搬送ローラの反対方向回転で前記第２の集積部に、選択的に移送することを特徴とする処理装置。
【請求項２】
前記バッファ経路部は、
前記第１搬送ローラと前記第２搬送ローラの間に跨った状態でシートを滞留させることを特徴とする請求項１に記載の処理装置。
【請求項３】
前記第１搬送ローラは、圧接力を軽減又は離間可能なローラ対で構成され、
前記制御手段は、
前記バッファ経路部に滞留させたシートを、
前記第１の集積部に移送するときには、前記第１搬送ローラを圧接させ、
前記第２の集積部に移送するときには、前記第１搬送ローラの圧接力を軽減するか離間させることを特徴とする請求項１に記載の処理装置。
【請求項４】
前記第１搬送ローラは、圧接力を軽減又は離間可能なローラ対で構成され、
前記制御手段は、
前記バッファ経路部に滞留させたシートを、
前記第１の集積部に移送するときには、前記第１搬送ローラの圧接力を軽減するか離間させ、
前記第２の集積部に移送するときには、前記第１搬送ローラを圧接させることを特徴とする請求項１に記載の処理装置。
【請求項５】
前記制御手段は、前記バッファ経路部に滞留させたシートを前記第１の集積部に移送するときには、前記搬入口に供給された後続シートと同時に同一方向に移送し、
前記第２の集積部に移送するときには、前記搬入口に供給された後続シートと同時に反対方向に移送することを特徴とする請求項３又は４に記載の処理装置。
【請求項６】
前記制御手段は、
前記バッファ経路部に滞留させた複数のシートを集積部に繰り出す際に、
前記第１の集積部に送るときには、束状に重ね合わせた状態で移送し、
前記第２の集積部に送るときには、シートごと滞留順に移送することを特徴とする請求項３又は４に記載の処理装置。
【請求項７】
前記制御手段は、
前記バッファ経路部に滞留させた複数のシートを前記第２の集積部に送るときには、各シートを、
前記搬入口に供給される後続シートの速度より高速度で移送することを特徴とする請求項６に記載の処理装置。
【請求項８】
前記制御手段は、
前記バッファ経路部に滞留させた複数のシートを前記第２の集積部に送るときには、各シートとシートの搬送間隔を、
前記搬入口に供給された間隔より短い間隔で移送することを特徴とする請求項６に記載の処理装置。
【請求項９】
前記分岐経路には前記第２搬送ローラの下流側に第３排紙ローラ対が配置され、
前記制御手段は、
前記バッファ経路部に滞留させた複数のシートを前記第２の集積部に送るときには、
前記第２搬送ローラの圧接力を軽減又は離間させた状態で前記第３排紙ローラ対を回転させることを特徴とする請求項８に記載の処理装置。
【請求項１０】
シート上に画像を形成する画像形成装置と、
前記画像形成装置から送られたシートを集積して処理する処理装置と、
から構成され、
前記処理装置は請求項１から９のいずれか１項に記載の処理装置であることを特徴とする画像形成システム。